(57)【要約】【課題】  切断刃を三角形状として切り口がきれいなテープカッターを提供する。【解決手段】  ロール状に巻回された粘着テープを回転自在に支持する本体部と、前記粘着テープとほぼ同じ幅を有する切断刃とを具えるテープカッターにおいて、当該切断刃の先端が三角形状をなすように構成する。また、前記切断刃を保護する摺動ホルダであって、バネ部材により前記切断刃を収容する位置に付勢されており外部からの押圧により摺動して前記切断刃を露出させる摺動ホルダと、前記摺動ホルダを押圧する押圧部材であって、前記切断刃と相対向する位置に前記切断刃の先端を収容する深さの溝を有する押圧部とを設ける。【選択図】図２
2005179047.tif 000002
【特許請求の範囲】
【請求項１】
ロール状に巻回された粘着テープを回転自在に支持する本体部と、前記粘着テープとほぼ同じ幅を有する切断刃とを具え、当該切断刃の先端が三角形状をなすことを特徴とするテープカッター。
【請求項２】
請求項１に記載のテープカッターがさらに、前記切断刃を保護する摺動ホルダであって、バネ部材により前記切断刃を収容する位置に付勢されており外部からの押圧により摺動して前記切断刃を露出させる摺動ホルダと、前記摺動ホルダを押圧する押圧部材であって、前記切断刃と相対向する位置に前記切断刃の先端を収容する深さの溝を有する押圧部とを具えることを特徴とするテープカッター。
【請求項３】
請求項２に記載のテープカッターにおいて、前記押圧部と前記本体部とが一体的に可撓性を有する素材で略Ｕ字型に構成されており、手で握ることにより前記押圧部が前記摺動ホルダを押圧するよう構成されていることを特徴とするテープカッター。
【請求項４】
請求項２に記載のテープカッターにおいて、前記押圧部と前記本体部が前記巻回された粘着テープの回転軸を中心に回動可能に連結されており、前記押圧部を前記摺動ホルダから遠ざける方向に付勢する第２のバネ部材を具えることを特徴とするテープカッター。
【発明の詳細な説明】
【技術分野】
【０００１】
本発明は、簡単な構成で安価に製造でき、粘着テープを安全できれいに切断することのできる簡易型テープカッターに関する。
【背景技術】
【０００２】
この種のテープカッターの従来例として、例えば特許文献１に記載のテープカッターがある。このテープカッターでは、ケース内部に立設された浮動中心軸に外部から押圧可能な切断刃ホルダが設けられており、このホルダを指で押すことによりケース内部で切断刃が前進して粘着テープが切断される。切断刃ホルダには、該ホルダを押圧するとテープ送りローラを逆回転させるセクタギアが設けられており、テープを緊張させた状態で切断することができる。この従来例の他にも押圧ホルダを指で押すことによりテープを切断できるようにした特許文献２、特許文献３のテープカッタがある。
【０００３】
しかしながら、従来のテープカッターの切断刃はいずれも鋸刃形状であるためテープ切断面がギザギザとなり、貼着後にこのギザギザが小さくめくれあがったりして見栄えが悪いという問題がある。また、いずれの特許文献に記載のテープカッターも構造が複雑で部品点数が多く、製造コストがかかるものである。さらに、上記特許文献１のテープカッターではケース内部でテープを切断するため切断後のテープがうまくテープ外部に出てくるのかという疑問もある。
【特許文献１】特開平７−２５２０１０号公報
【特許文献２】実開昭５６−１４０５４５号公報
【特許文献２】実開昭６０−７５３５７号公報
【発明の開示】
【発明が解決しようとする課題】
【０００４】
解決しようとする問題点は、テープ切断面がギザギザとなりきれいに貼着できないことと、構造が複雑で製造コストが高くなることである。本願発明の目的は、安全性や操作性を確保しつつ、テープをきれいに切断することができ、簡単な構成で安価に製造できるテープカッターを提供することにある。
【課題を解決するための手段】
【０００５】
本発明は、簡単な構成で安価に製造できるテープカッターを提供するものであり、テープ切断刃の先端を三角形状に構成するとともに、当該切断刃を保護する摺動ホルダを設けたことを最も主要な特徴とする。
【０００６】
本願請求項１の発明は、ロール状に巻回された粘着テープを回転自在に支持する本体部と、前記粘着テープとほぼ同じ幅を有する切断刃とを具え、当該切断刃の先端が三角形状をなすことを特徴とする。
【０００７】
本願請求項２の発明は、請求項１に記載のテープカッターがさらに、前記切断刃を保護する摺動ホルダであって、バネ部材により前記切断刃を収容する位置に付勢されており外部からの押圧により摺動して前記切断刃を露出させる摺動ホルダと、前記摺動ホルダを押圧する押圧部材であって、前記切断刃と相対向する位置に前記切断刃の先端を収容する深さの溝を有する押圧部とを具えることを特徴とする。
【０００８】
本願請求項３の発明は、請求項２に記載のテープカッターにおいて、前記押圧部と前記本体部とが一体的に可撓性を有する素材で略Ｕ字型に構成されており、手で握ることにより前記押圧部が前記摺動ホルダを押圧するよう構成されていることを特徴とする。
【０００９】
本願請求項４の発明は、請求項２に記載のテープカッターにおいて、前記押圧部と前記本体部が前記巻回された粘着テープの回転軸を中心に回動可能に連結されており、前記押圧部を前記摺動ホルダから遠ざける方向に付勢する第２のバネ部材を具えることを特徴とする。
【発明の効果】
【００１０】
本発明のテープカッターは、切断刃を三角形状としているので、テープの幅方向中心部から裂けるようにテープが切断される。このためテープ切断面は直線的となりギザギザとならないため、貼着後の状態がきれいなものとなる。また、三角形状の切断刃をバネで付勢された摺動ホルダで保護しているため、取り扱い時に指を切ったりすることがない。また、全体を略Ｕ字形状とし手で握ることによりテープをカットできるようにしており、操作が簡単で安価に製造することができる。以上より、安全で、部品点数が少なく製造コストが安価で、操作性がよく、貼着後の状態がきれいなテープカッターを提供することができる。
【発明を実施するための最良の形態】
【００１１】
本発明を実施するための最良の形態を、添付の図面を参照しながら以下に詳細に説明する。
【実施例１】
【００１２】
図１は本願に係るテープカッターの第１実施例の構成を示す側面図であり、図２はその斜視図である。図１に示すように、本実施例のテープカッター１は、横向きの略Ｕ字型をなす本体部１１と、本体部１１の一方の端部に設けられた切断刃１２と、切断刃１２を収容する摺動ホルダ１３と、切断刃１２と相対向する端部に設けられた押圧部１４とを具えている。これらの部材は、適用するテープより少し大きい幅に構成され、例えば幅１５ｍｍのテープを用いるテープカッターの場合は幅約２０ｍｍ程度に構成される。
【００１３】
本体部１がなすＵ字型の奥部にはテープ保持体１５が配置され、テープ保持体１５はこの位置で軸１６を中心に回転可能に本体部１１に取り付けられている。テープ保持体１５にはロール状に巻回された粘着テープが取り付けられる。なお、テープ保持体１５の外径は適用するテープロールの内径に応じて適宜決定されるものとする。
【００１４】
本体部１１において、切断刃１２側の端部は押圧部１４側に曲折しており（曲折部１１ａ）、切断刃１２は押圧部側に向かって延在している。図１および図２に示すように、この端部に切断刃１２を保護する角筒形状の摺動ホルダ１３が配設されており、この摺動ホルダ１３はバネ部材１７により常に切断刃１２を収容する位置側に付勢されている。図３は、切断刃１２と摺動ホルダ１３の部分を示す部分正面図である。摺動ホルダ１３はスリット１８を貫通するストッパ１９を有し、摺動ホルダ１３はスリット１８の範囲でスライド可能である。本実施例でバネ部材１７は適度なしなり具合のプラスチック棒が用いられており、一方の端部が本体部１１に固定され、他方の端部がスリット１８中に延在し、摺動ホルダ１３を上側に付勢している。ただし、バネ部材１７は板バネ、コイルバネ、スプリングなどを用いてもよい。
【００１５】
図３（ａ）に示すように、摺動ホルダ１３はバネ部材１７により通常時は切断刃１２を隠す位置に付勢されている。この摺動ホルダ１３を図において上側から押圧すると、図３（ｂ）に示すように摺動ホルダ１３が下がり、切断刃１２が露出する。本図に示すように、切断刃１２の先端は二等辺三角形に形成されている。
【００１６】
本体部１１は可撓性を有する弾性素材、例えばプラスチック樹脂などで構成されており、切断刃１２側の曲折部１１ａと押圧部１４を手で握ってトングのように操作することができる。すなわち、図２に示すように粘着テープ２０を繰り出して切断刃１２と押圧部１４との間に延在させた状態でテープカッター１を強く握ると、押圧部１４が摺動ホルダ１３を押し込んで切断刃１２が露出し、粘着テープ２０が切断される。図１に示すように、押圧部１４において切断刃１２に対応する位置には切断刃１２を収容する溝１４ａが設けられており、露出した切断刃１２が溝１４ａ内に納まるとテープ２０が完全に切断されるよう構成されている。また、図１および図２に示すように、押圧部１４やＵ字型の最奥部は容易に撓まないように他の部分に比して厚みをもたせて形成されている。この構成によりテープ切断時にテープが弛むのを防ぐことができる。
【００１７】
テープカッター１において押圧部１４の先端は溝１４ａから約１５ｍｍほど前方に出ており、片手でカッター１を持ってテープを貼る場合に粘着テープ２０を貼着対象物に押しつけ易いように構成されている。図２に示すように、この先端部には使用時にテープ２０を案内する対のガイドウィング１４ｂが設けられている。なお、押圧部１４の先端はローラを設けて構成してもよい。
【００１８】
このように構成されたテープカッター１は以下のように使用する。テープカッター１を片手で持ち、空いた手でテープの先端を摘んで貼着対象物に貼る。ここで、前回使用により粘着テープ２０の先端が摺動ホルダ１３の部分まで繰り出されており、容易に摘んで引き出すことができる。そのまま片手でテープカッター１を操作してテープを貼り付けていき、最後にテープカッター１を強く握ってテープを切断する。ここで切断刃１２を三角形状としたためテープの幅方向中央部分からテープが裂けるように切断され、切り口がギザギザとならずにきれいに貼着することができる。
【実施例２】
【００１９】
図４は、テープカッターの第２実施例の構成を示す側面図である。本実施例のテープカッター２は大別して２つの部材からなり、一方が切断刃１２および摺動ホルダ１３を具える下側部材２１と、他方が押圧部１４を具える上側部材２２とで構成されている。両部材２１および２２はそれぞれテープの回動軸２３を中心に回動するプレート２１ａおよび２２ａと一体的に形成されており、このプレート２１ａと２２ａが組み合わさることにより粘着テープ２０を回転自在に支持する支持体を構成する。また、Ｕ字型の最奥部にスプリング２４が設けられており、このスプリング２４はこの位置で下側部材２１と上側部材２２を互いに引っ張っている。
【００２０】
この構成により、下側部材２１と上側部材２２は外部から力が加わらない状態では拡開し、図４のように摺動ホルダ１３と押圧部１４とが離れている。この状態から力を加えて押圧部１４を摺動ホルダ１３に当接させ、さらに押し込んでテープを切断することができる。力を抜くと再びスプリング２４の作用によりテープカッター２が開いた状態となる。なお、切断刃１２、摺動ホルダ１３、押圧部１４の構成は図１〜図３に示す第１実施例と同じ構成であり、ここでの重複する説明は省略する。このようにテープカッター２を構成しても、片手で操作でき切り口がきれいなハンディ型テープカッターを得ることができる。本実施例では、下側部材２１および上側部材２２に弾性素材を用いる必要はなく、硬度のある金属部材などを好適に用いることができる。
【実施例３】
【００２１】
図５は、本発明に係るテープカッターの第３実施例の構成を示す側面図である。図５に示すように、このテープカッター３では、本体部３１と押圧部３２が別部材として構成されており、押圧部３２が軸３３を中心に回動可能に本体部３１に取り付けられている。この機構により押圧部３２は摺動ホルダ１３を押し込む位置と摺動ホルダ１３から離れる位置との間で移動することができる。このように構成しても、簡単できれいにテープを切断できる安価なテープカッターを提供することができる。なお、押圧部３２はバネ部材などで摺動ホルダ１３から離れる方向に付勢されていてもよい。また、本実施例のテープカッター３はハンディ型として構成する必要はなく、据え置きタイプとして構成してもよい。すなわち、本体部３１に適度な重量と安定した台座構造をもたせ、置いたときやテープを繰り出すときに安定するようにする。
【００２２】
本発明の実施例のいくつかについて図面を参照しながら詳細に説明したが、本発明の技術的範囲は上記実施例に限定されるものではなく、本発明は他にも様々な実施例として実現することができる。特に、本体部や押圧部の寸法形状、テープ支持体の構造などは本発明の特徴部分ではなく、実際に用いられるテープの幅や巻き数などに応じて適宜の寸法形状を採用することができる。
【産業上の利用可能性】
【００２３】
本発明のテープカッターは、切断刃を三角形状としているので、テープの幅方向中心部から裂けるようにテープが切断される。このためテープ切断面は直線的となりギザギザとならないため、貼着後の状態がきれいなものとなる。また、三角形状の切断刃をバネで付勢された摺動ホルダで保護しているため、取り扱い時に指を切ったりすることがない。また、全体を略Ｕ字形状とし手で握ることによりテープをカットできるようにしており、操作が簡単で安価に製造することができる。以上より、安全で、部品点数が少なく製造コストが安価で、操作性がよく、貼着後の状態がきれいな家庭用あるいは業務用のテープカッターとして用いることができる。
【図面の簡単な説明】
【００２４】
【図１】本発明に係るテープカッターの構成を示す側面図である（実施例１）。
【図２】本発明に係るテープカッターの構成を示す斜視図である（実施例１）。
【図３】摺動ホルダと切断刃の構成を示す部分正面図である。
【図４】本発明に係るテープカッターの構成を示す側面図である（実施例２）。
【図５】本発明に係るテープカッターの構成を示す側面図である（実施例３）。
【符号の説明】
【００２５】
１〜３  テープカッター
１１    本体部
１２    切断刃
１３    摺動ホルダ
１４    押圧部
１４ａ  溝
１５    テープ支持体
１７    バネ部材
【図１】
2005179047.tif 000003
【図２】
2005179047.tif 000004
【図３】
2005179047.tif 000005
【図４】
2005179047.tif 000006
【図５】
2005179047.tif 000007